(57)【要約】【課題】幅広く大量に干された衣類に対して、最も乾きにくい端部の衣類に気流を集中することができ、また連続して幅広く気流を当て続けることができ、また少量あるいは厚手の洗濯物に対しても気流を集中的に供給でき、乾燥時間を短縮することを目的としている。【解決手段】風向変更板８をＸＹ平面で切断した時の断面が略ハの字型であり、前記風向変更板８をＸＺ平面で切断した時の断面が前記Ｘ軸に対して略平行の傾斜を備えたものであり、吹出口４から送風される風量を第１の回転軸６の軸方向に対して拡大、縮小、左、右の四方向に風向を変更させることができる風向変更装置を提供する。                【選択図】図２
2010000281.tif 000002
【特許請求の範囲】
【請求項１】
複数の風向変更板と、前記風向変更板を貫通し、かつ固定する第１の回転軸と、前記第１の回転軸の両端に設置され、前記第１の回転軸を回転可能に保持する第１の保持部とを備え、前記第１の回転軸を同方向に９０°ずつ回転する毎に、気流の方向を左方向あるいは拡大方向あるいは右方向あるいは縮小方向へと切換可能であることを特徴とする風向変更装置。
【請求項２】
複数の風向変更板と、前記風向変更板を貫通し、かつ固定する第１の回転軸と、前記第１の回転軸の両端に設置され、前記第１の回転軸を回転可能に保持する第１の保持部とを備え、前記風向変更板における前記第１の回転軸に貫通される点の中心を原点として、前記第１の回転軸の軸方向に伸びる軸をＸ軸とし、Ｘ軸に直交する軸をＹ軸とし、Ｘ軸と直交し、かつＹ軸と直交する軸をＺ軸とした場合、前記風向変更板の少なくとも２つは、前記風向変更板をＸＹ平面で切断した時の断面が略ハの字型であり、前記風向変更板をＸＺ平面で切断した時の断面が前記Ｘ軸に対して略平行の傾斜を備えることを特徴とする風向変更装置。
【請求項３】
風向変更板は、第１の回転軸の端からＹＺ平面に投影した形状が円形であることを特徴とする請求項２に記載の風向変更装置。
【請求項４】
風向変更板をＸＹ平面で切断した時の断面が、第１の回転軸の端ほど前記風向変更板の傾斜角度が大きいことを特徴する請求項２から３のいずれか１項に記載の風向変更装置。
【請求項５】
第１の回転軸の回転角度を固定する回転固定手段を備えたことを特徴とする請求項２から４のいずれか１項に記載の風向変更装置。
【請求項６】
回転固定手段は、第１の回転軸の外周に凸部を少なくとも１つ備え、前記凸部は変形自在であり、第１の保持部に前記凸部と嵌合する凹部を備えることを特徴とする請求項２から５のいずれか１項に記載の風向変更装置。
【請求項７】
第１の保持部の一方に第１の回転軸を駆動させる第１の駆動手段と、前記第１の駆動手段を制御する制御部とを有し、回転固定手段は、前記第１の回転軸に突起部と、前記突起部の回転を固定することが可能な受持部とを備えることを特徴とする請求項５または６のいずれか１項に記載の風向変更装置。
【請求項８】
第２の制御部と、風向変更板の風路上の下流に、貫通された開口部を風路とする案内翼とを備え、前記案内翼は、前記案内翼を回転可能に支持する第２の回転軸と、前記第２の回転軸の両端に、前記第２の回転軸を回転可能に保持する第２の保持部と、前記第２の保持部の一方に前記第２の回転軸を駆動させる第２の駆動手段とを有し、前記風向変更板によって第１の回転軸のＸ軸方向に変更された風向を、前記案内翼により前記第２の回転軸の回転方向に変更するよう配置し、気流が停止した場合、前記第２の制御部により前記第２の駆動手段を動作させ、前記案内翼で前記風向変更板の風路を塞ぐことを特徴とする請求項２から７のいずれか１項に記載の風向変更装置。
【請求項９】
第２の駆動手段の駆動力を第１の回転軸に伝える動力伝達手段を設け、前記動力伝達手段は、第２の回転軸に配置され、前記第２の回転軸の半径方向に向かって突出する回転入力部材と、第１の回転軸に配置され、前記第２の回転軸が１回転する毎に前記回転入力部材と接触する回転出力部材とを備え、前記第２の回転軸が１回転する毎に前記第１の回転軸が９０°回転するよう、前記回転出力部材を９０°間隔で配置することを特徴とする請求項８に記載の風向変更装置。
【請求項１０】
第１の回転軸に保持され、かつ風向変更板に正接するよう配置され、貫通された開口部を風路とする補助翼と、第１の回転軸のＸ軸方向に対して垂直となるよう前記第１の回転軸に配置した円板形の風向変更板制御手段と、前記風向変更板制御手段の円周上に配置された変形自在な複数の突出部と、前記補助翼に配置し、前記突出部を収納する少なくとも２つの収納部と、前記補助翼における第１の回転軸の回転方向への回転を停止する回転停止手段とを有し、前記補助翼と前記回転停止手段が接しない場合は、前記補助翼と前記風向変更板制御手段が拘束され、前記補助翼が前記回転停止手段によって停止した場合は、停止した位置を基準としてさらに第１の駆動手段を一定角度駆動させることで、前記補助翼と前記風向変更板制御手段の拘束が解除され、風向変更板の傾きを変更することを特徴とする請求項７に記載の風向変更装置。
【請求項１１】
補助翼と、前記補助翼の一方に補助翼回転軸と、前記補助翼回転軸に補助翼駆動手段とを有し、前記補助翼駆動手段によって、前記補助翼を前記補助翼回転軸の回転方向に駆動して、前記補助翼回転軸の回転方向に風向を変更しつつ、第１の駆動手段によって、Ｘ軸方向への風向変更を同時に行うことを特徴とする請求項７から１０のいずれか１項に記載の風向変更装置。
【請求項１２】
風向変更板は、前記風向変更板の端部を連結する連結リブを少なくとも１つ備え、前記連結リブが前記回転軸よりもその太さが細いことを特徴とする請求項２から１１のいずれか１項に記載の風向変更装置。
【請求項１３】
送風手段を備えた本体と、前記本体に送風方向の物体温度を検知する赤外線センサとを有し、前記赤外線センサは、前記赤外線センサの検出可能領域を所定の部分領域に分割し、その部分領域に存在する物体の表面温度を検知対象とし、送風前の物体温度を基準温度とし、送風を開始した後、風の当たっている物体の表面温度を測定値として、基準温度よりも測定値の方が低い領域を送風方向とするよう、風向変更板と補助翼の角度を制御することを特徴とする請求項７から１２のいずれか１項に記載の風向変更装置を備えた乾燥機。
【請求項１４】
送風手段を備えた本体と、前記本体に送風方向の物体温度を検知する赤外線センサとを有し、赤外線センサの検出可能領域をＸ軸方向に３分割し、その中心の領域を中心領域とし、前記中心領域に対して左右に存在する領域を左領域、右領域として、前記赤外線センサの測定値の内、基準温度よりも前記右領域および前記左領域の測定値が低い場合、風向変更板の傾きを斜め右方向、拡大方向、斜め左方向と繰り返すことを特徴とする請求項７から１２のいずれか１項に記載の風向変更装置を備えた乾燥機。
【請求項１５】
送風手段を備えた本体と、前記本体に送風方向の物体温度を検知する赤外線センサとを有し、送風を開始してから所定の時間を経過した後、基準温度と赤外線センサの測定値の差があらかじめ設定した設定値よりも小さい場合、送風手段を停止することを特徴とする請求項７から１２のいずれか１項に記載の風向変更装置を備えた乾燥機。
【請求項１６】
送風手段を備えた本体と、前記本体に熱源とを有し、赤外線センサにより送風方向を決定した後、前記熱源を作動させることを特徴とする請求項７から１２のいずれか１項に記載の風向変更装置を備えた乾燥機。
【請求項１７】
送風手段を備えた本体と、前記本体に熱源と、冷房手段と、空気温度検知手段と、人体を検知する人体検知手段とを備え、前記空気温度検知手段の測定値があらかじめ設定した設定値と同じになるよう、前記熱源または前記冷房手段のいずれかを動作させ、送風方向が人体方向となるよう、風向変更板と補助翼の角度を制御することを特徴とする請求項７から１２のいずれか１項に記載の風向変更装置を備えた乾燥機。
【請求項１８】
送風手段を備えた本体と、前記本体に熱源と、冷房手段と、空気温度検知手段と、人体を検知する人体検知手段とを備え、前記空気温度検知手段の測定値があらかじめ設定した設定値と同じになるよう、前記熱源または前記冷房手段のいずれかを動作させ、送風方向が人体方向となるよう、風向変更板と補助翼の角度を制御することを特徴とする請求項７から１２のいずれか１項に記載の風向変更装置を備えた乾燥機。
【発明の詳細な説明】
【技術分野】
【０００１】
本発明は、送風する気流の方向を変更させる風向変更装置およびそれを用いた乾燥機に関するものである。
【背景技術】
【０００２】
家庭用の除湿機や浴室乾燥機等で見られるように、小型モーターで風向変更板を回転させたり、短冊片を揺動させたりして、送風する気流の方向を変更する風向変更装置が広く実用化されている（例えば特許文献１参照）。
【０００３】
以下、その風向変更装置について図１２、図１３を参照しながら説明する。
【０００４】
図１２、図１３に示すように、本体１０４の吹出口１０５内側に気流を多方向に吹き出させるための風向板１０１をモーター１０２により回転自在に設け、風向板１０１は回転軸１０３に対して同一の傾斜を設けている。そして、シロッコファン１０６により吹出口１０５から室内に気流を吹き出すときに、モーター１０２により風向板１０１を回転駆動して、気流を多方向に吹き出すようにしている。
【特許文献１】特開平７−１３９７５９号公報
【発明の開示】
【発明が解決しようとする課題】
【０００５】
このような風向変更装置では、幅広く大量に干された衣類に対して、最も乾きにくい端側の衣類に間欠的に気流を当てることができるものの、連続して幅広く気流を当て続けることができないという課題があった。
【０００６】
また、ジーンズ１本などといった少量または厚手の衣類を短時間で乾燥したい場合には、送風範囲が広いと無駄が多くなり、結果としてエネルギーを浪費するだけでなく、乾燥時間が長くなるという課題があった。
【０００７】
本発明はこのような従来の課題を解決するものであり、幅広く大量に干された衣類に対して、最も乾きにくい端部の衣類に気流を集中することができ、また連続して幅広く気流を当て続けることができ、また少量あるいは厚手の洗濯物に対しても、気流を集中的に供給でき、乾燥時間を短縮することができる風向変更装置を提供することを目的としている。
【課題を解決するための手段】
【０００８】
本発明の風向変更装置は、上記目的を達成するために、複数の風向変更板と、前記風向変更板を貫通し、かつ固定する第１の回転軸と、前記第１の回転軸の両端に設置され、前記第１の回転軸を回転可能に保持する第１の保持部とを備え、前記第１の回転軸を同方向に９０°ずつ回転する毎に、気流の方向を左方向あるいは拡大方向あるいは右方向あるいは縮小方向へと切換可能としたものである。
【０００９】
この手段により、幅広く大量に干された衣類に対して、左方向あるいは右方向に風向を変更すると、最も乾きにくい端部の衣類に気流を集中することができ、また拡大方向に風向を変更すると、連続して幅広く気流を当て続けることができ、また縮小方向に風向を変更すると、少量あるいは厚手の洗濯物に対しても気流を集中的に供給でき、乾燥時間を短縮することができる風向変更装置が得られる。
【発明の効果】
【００１０】
本発明によれば、幅広く大量に干された衣類に対して、左方向あるいは右方向に風向を変更すると、最も乾きにくい端部の衣類に気流を集中することができ、また拡大方向に風向を変更すると、連続して幅広く気流を当て続けることができ、また縮小方向に風向を変更すると、少量あるいは厚手の洗濯物に対しても気流を集中的に供給でき、乾燥時間を短縮することができる風向変更装置を提供することができる。
【発明を実施するための最良の形態】
【００１１】
本発明の請求項１記載の発明は、複数の風向変更板と、前記風向変更板を貫通し、かつ固定する第１の回転軸と、前記第１の回転軸の両端に設置され、前記第１の回転軸を回転可能に保持する第１の保持部とを備え、前記第１の回転軸を同方向に９０°ずつ回転する毎に、気流の方向を左方向あるいは拡大方向あるいは右方向あるいは縮小方向へと切換可能としたものであり、回転軸を順次９０°ずつ回転させることにより、気流を左方向、拡大方向、右方向、縮小方向のいずれかの風向を選択することができるという作用を有する。
【００１２】
また、本発明の請求項２記載の発明は、複数の風向変更板と、前記風向変更板を貫通し、かつ固定する第１の回転軸と、前記第１の回転軸の両端に設置され、前記第１の回転軸を回転可能に保持する第１の保持部とを備え、前記風向変更板における前記第１の回転軸に貫通される点の中心を原点として、前記第１の回転軸の軸方向に伸びる軸をＸ軸とし、Ｘ軸に直交する軸をＹ軸とし、Ｘ軸と直交し、かつＹ軸と直交する軸をＺ軸とした場合、前記風向変更板の少なくとも２つは、前記風向変更板をＸＹ平面で切断した時の断面が略ハの字型であり、前記風向変更板をＸＺ平面で切断した時の断面が前記Ｘ軸に対して略平行の傾斜を備えたものであり、Ｙ軸方向に風向を送風して、風向変更装置により気流が拡大するような位置で風向変更板の傾きを固定した場合、第１の回転軸を中心として１８０°回転させることによって、気流が縮小する傾きに変更することができ、さらに、Ｙ軸から９０°傾いた位置に存在するＺ軸方向に風向を送風して、風向変更装置により気流が左方向に送風されるような位置で風向変更板の傾きを固定した場合、第１の回転軸を中心として１８０°回転させることによって、気流が右方向に送風される傾きに変更することができるという作用を有する。
【００１３】
また、本発明の請求項３記載の発明は、風向変更板を第１の回転軸の端からＹＺ平面に投影した形状が円形としたものであり、ＹＺ平面から投影した形状が円形であれば、円形の直径を吹出口の開口幅に近似した場合でも、第１の回転軸を回転させることによる風向の変更が可能であり、かつ風向変更板の風路面積を最大にして、圧力損失を低減することができるという作用を有する。
【００１４】
また、本発明の請求項４記載の発明は、風向変更板をＸＹ平面で切断した時の断面が、第１の回転軸の端ほど前記風向変更板の傾斜角度を大きくしたものであり、第１の回転軸の端ほど傾斜角度を大きくすることによって、第１の回転軸の中心部は送風方向に対して直下方向に送風することができ、第１の回転軸の端に近づくにつれ、送風方向を徐々に風向変更板の傾き方向に送風することができるという作用を有する。
【００１５】
また、本発明の請求項５記載の発明は、第１の回転軸の回転角度を固定する回転固定手段を備えたものであり、回転固定手段によって一時的に回転を固定した場所を始点とし、この始点を基準として風向変更板の角度を調節するという作用を有する。
【００１６】
また、本発明の請求項６記載の発明は、回転固定手段が、第１の回転軸の外周に少なくとも１つの変形自在な凸部と、第１の保持部に前記凸部と嵌合する凹部とを備えるものであり、前記凸部が前記凹部に嵌合されることによって、第１の回転軸の回転を固定することができ、風向変更板の４種類の傾きを一時的に最適な位置で固定することができるという作用を有する。
【００１７】
また、本発明の請求項７記載の発明は、第１の保持部の一方に第１の回転軸を駆動させる第１の駆動手段と、前記第１の駆動手段を制御する制御部とを有し、回転固定手段は、前記第１の回転軸に突起部と、前記突起部の回転を固定することが可能な受持部とを備えたものであり、制御部は、突起部が受持部に接触した点を始点と認識し、その始点から第１の駆動手段を受持部の反対方向に９０°ずつ動作させ、始点から２７０°回転させることによって、風向変更板の４種類の傾きを自在に変化させるという作用を有する。
【００１８】
また、本発明の請求項８記載の発明は、第２の制御部と、風向変更板の風路上の下流に、貫通された開口部を風路とする案内翼とを備え、前記案内翼は、前記案内翼を回転可能に支持する第２の回転軸と、前記第２の回転軸の両端に、前記第２の回転軸を回転可能に保持する第２の保持部と、前記第２の保持部の一方に前記第２の回転軸を駆動させる第２の駆動手段とを有し、前記風向変更板によって第１の回転軸のＸ軸方向に変更された風向を、前記案内翼により前記第２の回転軸の回転方向に変更するよう配置し、気流が停止した場合、前記第２の制御部により前記第２の駆動手段を動作させて、前記案内翼で前記風向変更板の風路を塞ぐようにしたものであり、風向変更板によって第１の回転軸のＸ軸方向に変更された風向を、案内翼により第２の回転軸の回転方向に変更することができ、また、気流が停止している場合は、案内翼の開口部ではない面が吹出口側に向くよう、案内翼を回転させることによって、風向変更板の風路を塞ぐことができるという作用を有する。
【００１９】
また、本発明の請求項９記載の発明は、第２の駆動手段の駆動力を第１の回転軸に伝える動力伝達手段を設け、前記動力伝達手段は、第２の回転軸に配置され、前記第２の回転軸の半径方向に向かって突出する回転入力部材と、第１の回転軸に配置され、前記第２の回転軸が１回転する毎に前記回転入力部材と接触する回転出力部材とを備え、前記第２の回転軸が１回転する毎に前記第１の回転軸が９０°回転するよう、前記回転出力部材を９０°間隔で配置したものであり、第２の駆動手段によって第２の回転軸を回転させることで、第２の回転軸の回転方向に風向を変更しつつ、第２の回転軸を１回転させると、回転入力部材が回転出力部材に接触し、第２の駆動手段の駆動力を第１の回転軸に伝達することによって、第１の回転軸が９０°回転して、第１の回転軸上に配置された風向変更板の傾きを変更することができるという作用を有する。
【００２０】
また、本発明の請求項１０記載の発明は、第１の回転軸に保持され、かつ風向変更板に正接するよう配置され、貫通された開口部を風路とする補助翼と、第１の回転軸のＸ軸方向に対して垂直となるよう前記第１の回転軸に配置した円板形の風向変更板制御手段と、前記風向変更板制御手段の円周上に配置された変形自在な複数の突出部と、前記補助翼に配置し、前記突出部を収納する少なくとも２つの収納部と、前記補助翼における第１の回転軸の回転方向への回転を停止する回転停止手段とを有し、前記補助翼と前記回転停止手段が接しない場合は、前記補助翼と前記風向変更板制御手段が拘束され、前記補助翼が前記回転停止手段によって停止した場合は、停止した位置を基準としてさらに第１の駆動手段を一定角度駆動させることで、前記補助翼と前記風向変更板制御手段の拘束が解除され、風向変更板の傾きを変更するとしたものであり、補助翼は風向変更板の第１の駆動手段で回転方向に駆動するとともに、補助翼が回転停止手段によって固定されつつ、第１の駆動手段を駆動させることによって、風向変更板の風向を変化させることができるという作用を有する。
【００２１】
また、本発明の請求項１１記載の発明は、補助翼と、前記補助翼の一方に補助翼回転軸と、前記補助翼回転軸に補助翼駆動手段とを有し、前記補助翼駆動手段によって、前記補助翼を前記補助翼回転軸の回転方向に駆動して、前記補助翼回転軸の回転方向に風向を変更しつつ、第１の駆動手段によって、Ｘ軸方向への風向変更を同時に行うとしたものであり、補助翼と風向変更板の風向を別々の駆動手段で制御することによって、補助翼回転軸に対して回転方向への風向制御と、補助翼回転軸に対して軸方向の風向制御を同時に行うことができるという作用を有する。
【００２２】
また、本発明の請求項１２記載の発明は、風向変更板が、前記風向変更板の端部を連結する連結リブを少なくとも１つ備え、前記連結リブが前記回転軸よりもその太さが細いとしたものであり、風向変更板の外側にリブを設けることによって、風向変更板同士の強度を向上させることができ、さらに連結リブが回転軸よりもその太さが細いため、連結リブによる送風の圧力損失を低減することができるという作用を有する。
【００２３】
また、本発明の請求項１３記載の発明は、送風手段を備えた本体と、前記本体に送風方向の物体温度を検知する赤外線センサとを有し、前記赤外線センサは、前記赤外線センサの検出可能領域を所定の部分領域に分割し、その部分領域に存在する物体の表面温度を検知対象とし、送風前の物体温度を基準温度とし、送風を開始した後、風の当たっている物体の表面温度を測定値として、基準温度よりも測定値の方が低い領域を送風方向とするよう、風向変更板と補助翼の角度を制御したものであり、送風目的が衣類乾燥および浴室に付着した水分等である場合、送風手段によって送られた風が水分に当たると、気化熱によって物体表面の温度が下がることを利用し、送風によって温度が低下した位置を赤外線センサで認識することで、送風が必要とされる場所に風向を変更することができるという作用を有する。
【００２４】
また、本発明の請求項１４記載の発明は、送風手段を備えた本体と、前記本体に赤外線センサとを有し、赤外線センサの検出可能領域をＸ軸方向に３分割し、その中心の領域を中心領域とし、前記中心領域に対して左右に存在する領域を左領域、右領域として、前記赤外線センサの測定値の内、基準温度よりも前記右領域および前記左領域の測定値が低い場合、風向変更板の傾きを斜め右方向、拡大方向、斜め左方向と繰り返すとしたものであり、送風を開始した後、風があたっている領域に水分が存在している場合、水分の気化熱によって領域の温度が低下することを利用し、温度の低い領域に送風するよう、風向変更板の角度を調整することで、領域内の水分の蒸発を促すことができるという作用を有する。
【００２５】
また、本発明の請求項１５記載の発明は、送風手段を備えた本体と、前記本体に送風方向の物体温度を検知する赤外線センサとを有し、送風を開始してから所定の時間を経過した後、基準温度と赤外線センサの測定値の差があらかじめ設定した設定値よりも小さい場合、送風手段を停止するとしたものであり、送風を開始した後、温度の低下がみられない場合、送風対象の水分の蒸発が完了したと判断することによって、送風手段を停止することができるという作用を有する。
【００２６】
また、本発明の請求項１６記載の発明は、送風手段を備えた本体と、前記本体に熱源とを有し、赤外線センサにより送風方向を決定した後、前記熱源を作動させるとしたものであり、熱源を利用し、温風を水分の残った位置に集中的に送風することによって、水分の蒸発を促すことができるという作用を有する。
【００２７】
また、本発明の請求項１７記載の発明は、送風手段を備えた本体と、前記本体に熱源と、冷房手段と、空気温度検知手段と、人体を検知する人体検知手段とを備え、前記空気温度検知手段の測定値があらかじめ設定した設定値と同じになるよう、前記熱源または前記冷房手段のいずれかを動作させ、送風方向が人体方向となるよう、風向変更板と補助翼の角度を制御するとしたものであり、人体方向を特定し、風向変更装置により送風を必要とする位置に送風を行うという作用を有する。
【００２８】
また、本発明の請求項１８記載の発明は、送風手段を備えた本体と、前記本体に熱源と、冷房手段と、空気温度検知手段と、人体を検知する人体検知手段とを備え、空気温度検知手段の測定値と、あらかじめ設定した設定値との差が、所定の範囲よりも大きい場合、送風方向を人体の周辺方向となるよう、風向変更板と補助翼の角度を制御するとしたものであり、設定値との温度差が高い場合、人体に直接送風を行うと、急激な温度変化により、人体に対してストレスを与えることとなるため、人体検知手段で人体の場所を特定しつつ、気流を人体に直接当てないよう、風向変更板と補助翼の角度を制御することによって、送風方向を人体の周辺方向とすることができるという作用を有する。
【００２９】
以下、本発明の実施の形態について、図面を参照しながら説明する。
【００３０】
（実施の形態１）
図１は本発明の実施の形態１の本体１の模式図であり、図１（ａ）は本体１の正面図、図１（ｂ）は本体１の断面図を示したものである。
【００３１】
図２は本発明の実施の形態１の風向変更板８の模式図であり、図２（ａ）は風向変更板８が拡大方向への傾きを有した場合の正面図、図２（ｂ）は同断面図、図２（ｃ）は風向変更板が左方向への傾きを有した場合の正面図、図２（ｄ）は同断面図を示したものである。
【００３２】
図３は本発明の実施の形態１の風向変更板８の第２の模式図であり、図３（ａ）は、風向変更板８が拡大方向への傾きを有した場合の正面図、および第１の回転軸をＸ軸方向からみた図、図３（ｂ）は、風向変更板８が左方向への傾きを有した場合の正面図、および第１の回転軸をＸ軸方向からみた図、図３（ｃ）は、風向変更板８が縮小方向への傾きを有した場合の正面図、および第１の回転軸をＸ軸方向からみた図、図３（ｄ）は、風向変更板８が右方向への傾きを有した場合の正面図、および第１の回転軸をＸ軸方向からみた図を示したものである。
【００３３】
まず実施の形態１の構成について説明する。
【００３４】
図１（ｂ）に示すように、本体１には送風手段２が設置されており、送風手段の上流側には室内の空気を取り込む吸込口３と、送風手段の下流側には吹出口４が設けられ、吸込口３と吹出口４までは風路によって繋がっている。また、本体１は吹出口近傍に風向変更装置５を備えた構成となっている。
【００３５】
また、図１（ａ）に示すように、風向変更装置５には、第１の回転軸６と、第１の回転軸６の両端に設置され、第１の回転軸６を回転可能に保持する第１の保持部７と、第１の回転軸６に貫通され、かつ固定される風向変更板８を有した構成となっている。
【００３６】
また、図２に示すように、風向変更板８における第１の回転軸６に貫通される点の中心を原点として、第１の回転軸６の軸方向に伸びる軸をＸ軸とし、Ｘ軸に直交する軸をＹ軸とし、Ｘ軸と直交し、かつＹ軸と直交する軸をＺ軸と定義する。
【００３７】
この場合、図２（ａ）、図２（ｂ）に示すように、風向変更板８は、風向変更板８をＸＹ平面で切断した時の断面は、略ハの字型である構成とする。また、図２（ｃ）、図２（ｄ）に示すように、風向変更板８をＸＺ平面で切断した時の断面がＸ軸に対して略平行の傾斜を備える構成とする。
【００３８】
また、図３に示すように、風向変更板８を第１の回転軸６の端からＸ軸方向に投影した形状が円形である構成とする。
【００３９】
また、図３に示すように、風向変更板８の傾きは、第１の回転軸６の端ほど傾斜角度を大きくした構成とする。
【００４０】
次に実施の形態１の動作について説明する。
【００４１】
図３（ａ）に示すように、Ｙ軸方向に風向を送風して、風向変更装置５により風向が拡大するような位置で風向変更板８の傾きを固定し、第１の回転軸６を中心として、Ｙ軸をＺ軸方向に９０°回転させると、図３（ｂ）のように左方向の傾きに変更することができる。さらに、第１の回転軸６を中心として同方向に９０°回転させると、図３（ｃ）のように左方向から縮小方向へとその傾きを変更することができる。さらに、第１の回転軸６を中心として同方向に９０°回転させると、図３（ｄ）のように縮小方向から右方向へとその傾きを変更することができる。
【００４２】
また、Ｘ軸方向から投影した形状が円形とすると、風向変更板８の風路面積を最大にしつつ、緩衝することなく第１の回転軸６の回転を行うことができる。
【００４３】
また、第１の回転軸６の端ほど傾斜角度を大きくすることによって、第１の回転軸６の中心部は送風方向に対して直下方向に送風することができ、第１の回転軸６の端に近づくにつれ、送風方向を徐々に風向変更板８の傾き方向に送風することができる。
【００４４】
このように本発明の実施の形態１の風向変更装置５およびそれを用いた乾燥機によれば、例えば本体１が衣類乾燥機である場合、幅広く大量に干された衣類に対して、左方向あるいは右方向に風向を変更すると、最も乾きにくい端部の衣類に気流を集中することができ、また拡大方向に風向を変更すると、連続して幅広く気流を当て続けることができ、また縮小方向に風向を変更すると、少量あるいは厚手の洗濯物に対しても気流を集中的に供給でき、乾燥時間を短縮することができる。
【００４５】
また、風向変更板８の風路面積を最大にすることで、風向変更装置５の圧力損失を低減するとともに、吹出口と風向変更装置５との隙間からの風漏れを防ぐことができ、風向変更装置５によって変更した風向きの風量を大きくすることができ、乾燥時間を短縮することができる。
【００４６】
また、風向変更板８が第１の回転軸に固定された構成とすることによって、風向変更装置５を一体成形品とすることができ、部品点数が少なく、製造工数を減らすことができる。
【００４７】
（実施の形態２）
図４は本発明の実施の形態２の風向変更装置５の模式図であり、図４（ａ）は風向変更装置５の正面図、図４（ｂ）は図４（ａ）の断面で切断した場合の第１の回転軸６をＸ軸方向から見た図、図４（ｃ）は図４（ａ）の断面で切断した場合の第１の保持部７をＸ軸方向から見た図、図４（ｄ）は回転固定手段９の動作の模式図である。
【００４８】
まず実施の形態２の構成について説明する。
【００４９】
図４（ａ）に示すように、第１の回転軸６の一方に回転固定手段９を設置する。図４（ｂ）において、第１の回転軸６の外周に突出する凸部１０を第１の回転軸６の端に１つ有し、図４（ｃ）において、第１の保持部７の第１の回転軸を保持する部位に、凸部１０を嵌合する４つの凹部１１を備える。送風手段２から送風を行う場合は、凸部１０が凹部１１に嵌合されるように、第１の回転軸６は第１の保持部７に差し込まれている。
【００５０】
次に実施の形態２の動作について説明する。
【００５１】
図４（ｄ）に示すように、変形自在な凸部１０が第１の回転軸６の回転によって収縮しながら凹部１１から外れ、収縮したまま次の凹部１１に向けて移動している（Ｓ０）。凸部１０が凹部１１に達すると、凸部１０が凹部１１の形状に合うように伸長し、再び凹部１１に嵌合され、風向変更板８の角度が固定される（Ｓ１）。送風方向を切り換える場合は（Ｓ０）および（Ｓ１）を繰り返す。また、変形自在な凸部としては、凸部の内部にバネを有し、伸縮自在としたものや、凸部の材質をシリコンゴム等の変形自在なものがあげられる。
【００５２】
このように本発明の実施の形態２の風向変更装置５およびそれを用いた乾燥機によれば、凸部１０が凹部１１に嵌合されることによって、第１の回転軸６の回転を固定して、風向変更板８の４種類の傾きを一時的に最適な気流方向が得られる位置で固定することができ、例えば、手動によって風向変更板８の傾きを調整する場合、風向変更板８の４種類の傾きの最適な気流方向が得られる位置を認識することができる。
【００５３】
（実施の形態３）
図５は本発明の実施の形態３における構成部品の模式図であり、図５（ａ）は本体１の正面図、図５（ｂ）は風向変更装置５の正面図、図５（ｃ）は第１の回転軸６をＸ軸方向からみた図である。
【００５４】
まず実施の形態３の構成について説明する。
【００５５】
図５（ａ）に示すように、風向変更装置５には、第１の保持部７の一方に第１の回転軸６を駆動させる第１の駆動手段１２と、第１の駆動手段１２を制御し、本体内部に設置された制御部１３とを有し、制御部１３と第１の駆動手段１２は信号線１６で接続されている。
【００５６】
また、図５（ｂ）と図５（ｃ）に示すように、回転固定手段９は、第１の回転軸６に突起部１４と、本体１に突起部１４の回転を固定することが可能な受持部１５とを備えている。
【００５７】
次に実施の形態３の動作について説明する。
【００５８】
第１の駆動手段１２によって第１の回転軸６を回転させると、突起部１４が受持部１５に接触し、第１の回転軸６の回転が固定される。制御部１３は、この第１の回転軸６の回転が固定された場所を始点と認識し、その始点から第１の駆動手段１２を受持部の反対方向に９０°ずつ動作させ、始点から２７０°回転させることによって、風向変更板の４種類の傾きを自在に変化させることができる。
【００５９】
このように本発明の実施の形態３の風向変更装置５およびそれを用いた乾燥機によれば、制御部１３が原点を認識可能とすることによって、第１の駆動手段１２の回転を正確に制御し、風向変更板８の４種類の傾きの最適な気流方向が得られる位置を特定することができる。
【００６０】
（実施の形態４）
図６は、本発明の実施の形態４における構成部品の模式図であり、図６（ａ）は本体１の断面図、図６（ｂ）は風向変更装置５および案内翼１７と、それらを動作させる動力伝達手段２１の模式図である。
【００６１】
まず実施の形態４の構成について説明する。
【００６２】
図６（ａ）、図６（ｂ）に示すように、風向変更装置５の風路上の下流に、貫通された開口部を風路とする案内翼１７を備え、案内翼１７は、案内翼１７を回転可能に支持する第２の回転軸１８と、第２の回転軸１８の両端に、第２の回転軸１８を回転可能に保持する第２の保持部１９と、第２の保持部１９の一方に、第２の回転軸１８を駆動させる第２の駆動手段２０とを有し、動力伝達手段２１は、第２の回転軸１８に配置され、第２の回転軸１８の半径方向に向かって突出する回転入力部材２２と、第１の回転軸６に配置され、第２の回転軸１８が１回転する毎に回転入力部材２２と接する回転出力部材２３とを備え、第２の回転軸１８が１回転する毎に第１の回転軸６が９０°回転するよう、回転出力部材２３を９０°間隔で配置している。また、本体１の内部には、送風手段２と第１の駆動手段１２と信号線１６で接続されている第２の制御部２４を備えている。
【００６３】
次に実施の形態４の動作について説明する。
【００６４】
風向変更板８の傾きによってＸ軸方向に変更された風向を、さらに下流の案内翼１７を第２の駆動手段２０によって回転させることにより、第２の回転軸１８の回転方向に風向を変更することができる。また、第２の駆動手段２０の駆動力は、回転入力部材２２を通じて回転出力部材２３に伝わり、案内翼１７が１回転する毎に、回転出力部材２３が第１の回転軸６を中心に９０°回転し、風向変更板８の傾きを変更することができる。
【００６５】
また、送風手段２からの気流を停止した場合、第２の制御部２４によって第２の駆動手段２０を動作させ、案内翼１７の開口部ではない側面を本体１正面に向けることにより、風向変更板８の風路を塞ぐことができる。
【００６６】
このように本発明の実施の形態４の風向変更装置５およびそれを用いた乾燥機によれば、Ｘ軸方向に加えて、第１の回転軸６の回転方向にも風向を変更することができ、風向変更装置５の送風可能な風向領域を飛躍的に拡大することができ、例えばこの風向変更装置５が衣類乾燥機に使用される場合、幅広く大量に干された衣類に対して、満遍なく気流を当てることによって、乾燥ムラを防止し、乾燥時間を短縮することができる。
【００６７】
また、送風手段２が停止している場合に案内翼１７で風向変更板８の風路に蓋をすることによって、景観を向上させるとともに、本体内部の汚れを防ぐことができる。
【００６８】
また、第２の駆動手段２０のみで第１の回転軸６および第２の回転軸１８を動作させることが可能となり、部品点数の少ない構成にして製造工数を減らすことができ、省エネとすることができる。
【００６９】
（実施の形態５）
図７は、本発明の実施の形態５における風向変更装置５の模式図であり、図７（ａ）は補助翼２５と風向変更板制御手段２６を備えた風向変更装置５の正面図、図７（ｂ）は風向変更装置５をＸ軸方向からみた図であり、風向変更板制御手段２６の動作図である。
【００７０】
まず実施の形態５の構成について説明する。
【００７１】
図７（ａ）および図７（ｂ）に示すように、風向変更装置５は、第１の回転軸６に保持され、かつ風向変更板８に正接するよう配置され、貫通された開口部を風路とする補助翼２５と、第１の回転軸６のＸ軸方向に対して垂直となるよう第１の回転軸６に配置した円板形の風向変更板制御手段２６と、風向変更板制御手段２６の円周上に配置された変形自在な突出部２７と、補助翼２５に配置し、突出部２７を収納する少なくとも４つの収納部２８と、本体１に配置し、補助翼２５における第１の回転軸６の回転方向への回転を停止する回転停止手段２９とから構成されている。
【００７２】
次に実施の形態５の動作について説明する。
【００７３】
図７（ｂ）に示すように、補助翼２５と回転停止手段２９が接しない場合は、突出部２７が収納部２８に収納されることにより、補助翼２５と風向変更板制御手段２６が拘束され、第１の駆動手段１２により第１の回転軸６の回転方向に風向を変更することができる。一方、補助翼２５が回転停止手段２９に接している場合は、停止した位置を基準としてさらに第１の駆動手段１２を一定角度駆動させることで、変形自在な突出部２７が収納部２８から外れ、収縮しながら次の収納部２８に向けて移動している（Ｓ０）。突出部２７が収納部２８に達すると、突出部２７が収納部２８の形状に合うように伸長し、再び収納部２８に収納され、風向変更板制御手段２６の角度が固定される（Ｓ１）。
【００７４】
このように本発明の実施の形態５の風向変更装置５およびそれを用いた乾燥機によれば、風向変更装置５によってＸ軸方向に風向を変更した気流を補助翼２５によって整えることで、風速を向上させることができ、例えばこの風向変更装置５が衣類乾燥機に用いられる場合は、乾燥時間を短縮することができる。
【００７５】
また、補助翼２５によって第２の回転軸１８の回転方向に風向を変更することによって、風向変更装置５の送風可能な風向領域を飛躍的に拡大させることができ、乾燥時間を短縮することができる。
【００７６】
また第１の駆動手段１２のみで、補助翼の第１の回転軸６の回転方向への移動と、風向変更板８の傾きの変更を行うことができるため、部品点数の少ない構成にして製造工数を減らすことができ、省エネとすることができる。
【００７７】
（実施の形態６）
図８は、本発明の実施の形態６の風向変更装置５の模式図である。
【００７８】
まず実施の形態６の構成について説明する。
【００７９】
図８に示すように、風向変更装置５は、補助翼２５と、補助翼２５の一方に補助翼回転軸３０と、補助翼回転軸３０に補助翼駆動手段３１が設置されている。
【００８０】
次に実施の形態６の動作について説明する。
【００８１】
補助翼駆動手段３１によって、補助翼２５を補助翼回転軸３０の回転方向に駆動して、補助翼回転軸３０の回転方向に風向を変更しつつ、第１の駆動手段１２によって、Ｘ軸方向への風向変更を同時に行うことができる。
【００８２】
このように本発明の実施の形態６の風向変更装置５およびそれを用いた乾燥機によれば、風向変更装置５の風向方向の設定時間を短縮し、速やかに送風を必要とする場所に風向を合わせることができる。
【００８３】
（実施の形態７）
図９は、本体１が洗濯物の乾燥を目的とした衣類乾燥機である場合の模式図である。
まず実施の形態７の構成について説明する。
【００８４】
図９に示すように、赤外線センサ３２は本体１の吹出口４近傍に設置されており、送風方向に存在する物体の温度を検知している。また、本体１内部には熱源３３が設置されている。
【００８５】
次に実施の形態７の動作について説明する。
【００８６】
図９に示すように、例えば本体１が衣類乾燥機などの洗濯物の乾燥を目的とした装置であり、水分を含んだ洗濯物に常温の空気を送風した場合、水分が蒸発する際に物体表面の熱を奪う性質によって、洗濯物の水分を含んだ箇所の温度が低下する。これを利用し、赤外線センサ３２によって温度の低下を検知し、洗濯物の中で水分を含む場所を特定して、その方向に風向変更装置５を制御する。また、水分を含む場所を特定した後、熱源３３を作動させて、温風を送風する。一方、洗濯物に送風を行っても、温度の低下が見られない場合は、洗濯物の乾燥が終了していると判断されるため、送風手段２を停止する。
【００８７】
このように本発明の実施の形態５の風向変更装置５およびそれを用いた乾燥機によれば、洗濯物の乾燥ムラをなくし、洗濯物の乾燥時間を短縮することができる。
【００８８】
また、送風エネルギーを無駄なく乾燥に使用できるため、省エネとすることができる。
【００８９】
また、温風を送風することによって、乾燥時間をさらに短縮することができる。
【００９０】
また、洗濯物の乾燥終了を検知することによって、無駄な送風を行わないため、省エネとすることができる。
【００９１】
（実施の形態８）
図１０は、本体１が浴室内の空気温度を調和する浴室乾燥機である場合の模式図であり、図１１は、本発明の実施の形態８の風向変更装置５の模式図である。まず実施の形態８の構成について説明する。
【００９２】
図１０に示すように、本体１に熱源３３と、冷房手段３４と、空気温度検知手段３５と、人体を検知する人体検知手段３６とを備えている。
【００９３】
また、図１１に示すように、風向変更装置５には、風向変更板８の端部を連結する連結リブ３７を設置している。
【００９４】
次に実施の形態８の動作について説明する。
【００９５】
空気温度検知手段３５の測定値があらかじめ設定した設定値と同じになるよう、熱源３３または冷房手段３４のいずれかを動作させ、送風方向が人体方向となるよう、風向変更板８と補助翼２５の角度を制御する。また、空気温度検知手段３５の測定値と、あらかじめ設定した設定値との差が、所定の範囲よりも大きい場合は、送風方向を人体の周辺方向となるよう、風向変更板８と補助翼２５の角度を制御する。
【００９６】
このように本発明の実施の形態８の風向変更装置５およびそれを用いた乾燥機によれば、人体方向を特定し、必要とする場所に集中的に送風を行うことによって、省エネを実現することができる。
【００９７】
また、設定値との温度差が高い場合、人体に直接送風を行うと、急激な温度変化により、人体に対してストレスを与えることとなる。従って、送風方向を人体の周辺方向とし、風向変更装置５により送風を必要とする位置に送風を行うことによって、人体にストレスを与えない空気調和を実現することができる。
【００９８】
また、風向変更板８の外側に連結リブ３７を設けることで、風向変更板８同士の強度が向上し、耐久性を高めることができる。
【産業上の利用可能性】
【００９９】
以上のように、本発明の風向変更装置は、吹出口から送風される風量を回転軸の軸方向に対して拡大、縮小、左、右の四方向に集中させ、送風が必要とされる場所に風向を変更することができ、なおかつ部品点数の少ない構成で、製造工数を減らすことができるものであり、送風手段を備えた空気調和装置や除湿機、衣類乾燥機等に適用することができる。
【図面の簡単な説明】
【０１００】
【図１】（ａ）は本発明の実施の形態１の本体の正面図、（ｂ）は同本体の断面図
【図２】（ａ）は本発明の実施の形態１の風向変更板が拡大方向への傾きを有した場合の正面図、（ｂ）は同風向変更板が拡大方向への傾きを有した場合の断面図、（ｃ）は風向変更板が左方向への傾きを有した場合の正面図、（ｄ）は風向変更板が左方向への傾きを有した場合の断面図
【図３】（ａ）は風向変更板が拡大方向への傾きを有した場合の正面図および第１の回転軸をＸ軸方向からみた模式図、（ｂ）は風向変更板が左方向への傾きを有した場合の正面図および第１の回転軸をＸ軸方向からみた模式図、（ｃ）は風向変更板が縮小方向への傾きを有した場合の正面図および第１の回転軸をＸ軸方向からみた模式図、（ｄ）は風向変更板が右方向への傾きを有した場合の正面図および第１の回転軸をＸ軸方向からみた模式図
【図４】（ａ）は本発明の実施の形態２の風向変更装置の模式図、（ｂ）は第１の回転軸の断面をＸ軸方向から見た模式図、（ｃ）は第１の保持部の断面をＸ軸方向から見た模式図、（ｄ）は回転固定手段の動作の模式図
【図５】（ａ）は本体の正面図、（ｂ）は風向変更装置の正面図、（ｃ）は第１の回転軸をＸ軸方向からみた模式図
【図６】（ａ）は本体の断面図、（ｂ）は風向変更装置および案内翼とそれらを動作させる動力伝達手段の模式図
【図７】（ａ）は補助翼と風向変更板制御手段を備えた風向変更装置の正面図、（ｂ）は風向変更板制御手段の動作図
【図８】本発明の実施の形態６の風向変更装置の模式図
【図９】本体が洗濯物の乾燥を目的とした衣類乾燥機である場合の模式図
【図１０】本体が室内の空気温度を調和する空気調和機である場合の模式図
【図１１】本発明の実施の形態８の風向変更装置の模式図
【図１２】従来の風向変更装置の構成図
【図１３】従来の風向変更装置を搭載した除湿機の構成図
【符号の説明】
【０１０１】
１    本体
２    送風手段
３    吸込口
４    吹出口
５    風向変更装置
６    第１の回転軸
７    第１の保持部
８    風向変更板
９    回転固定手段
１０  凸部
１１  凹部
１２  第１の駆動手段
１３  制御部
１４  突起部
１５  受持部
１６  信号線
１７  案内翼
１８  第２の回転軸
１９  第２の保持部
２０  第２の駆動手段
２１  動力伝達手段
２２  回転入力部材
２３  回転出力部材
２４  第２の制御部
２５  補助翼
２６  風向変更板制御手段
２７  突出部
２８  収納部
２９  回転停止手段
３０  補助翼回転軸
３１  補助翼駆動手段
３２  赤外線センサ
３３  熱源
３４  冷房手段
３５  空気温度検知手段
３６  人体検知手段
３７  連結リブ
【図１】
2010000281.tif 000003
【図２】
2010000281.tif 000004
【図３】
2010000281.tif 000005
【図４】
2010000281.tif 000006
【図５】
2010000281.tif 000007
【図６】
2010000281.tif 000008
【図７】
2010000281.tif 000009
【図８】
2010000281.tif 000010
【図９】
2010000281.tif 000011
【図１０】
2010000281.tif 000012
【図１１】
2010000281.tif 000013
【図１２】
2010000281.tif 000014
【図１３】
2010000281.tif 000015